(57)【特許請求の範囲】
【請求項１】
第１の無線機と第２の無線機とを有するユーザ機器上のワイヤレス通信の方法であって、
第１の無線技術に基づく前記第１の無線機を使用して通信することと、
前記第１の無線機によって、前記第１の無線技術とは異なる第２の無線技術に基づく前記第２の無線機を、前記第２の無線技術とは異なる無線技術に基づいて送信された信号を受信するように構成することと、
前記第２の無線機によって、前記第２の無線機において受信された信号の品質インジケータを測定することと、ここで、前記信号は、前記第２の無線技術とは異なる前記無線技術に基づいて送信され、
前記第２の無線機によって、前記第２の無線技術とは異なる前記無線技術に基づいて受信された前記信号の前記品質インジケータを前記第１の無線機に報告すること、
を備える、方法。
【請求項２】
前記第２の無線機が隣接セルまたはサービングセルから前記第２の無線技術とは異なる前記無線技術に基づいて送信された信号を受信する間に、前記第１の無線機において前記サービングセルから前記第１の無線技術に基づいて送信された信号を受信すること、をさらに備える、請求項１に記載の方法。
【請求項３】
前記第１の無線技術はＬＴＥであり、前記第２の無線技術とは異なる前記無線技術は、周波数間測定の場合にはＬＴＥであり、ＲＡＴ間測定の場合にはＵＭＴＳである、請求項１に記載の方法。
【請求項４】
前記第１の無線技術はＵＭＴＳであり、前記第２の無線技術とは異なる前記無線技術は、周波数間測定の場合にはＵＭＴＳであり、ＲＡＴ間測定の場合にはＬＴＥである、請求項１に記載の方法。
【請求項５】
前記第２の無線技術はＷｉＦｉである、請求項１に記載の方法。
【請求項６】
前記測定を行うようにとのコマンドを受信することと、ここで、前記コマンドは、前記第１の無線機を使用して受信される、
前記測定を行うように前記第２の無線機に要求することと、
をさらに備える、請求項１に記載の方法。
【請求項７】
前記第１の無線機に前記品質インジケータを前記第２の無線機によって報告することと、
前記第１の無線機を使用してサービングセルに前記品質インジケータを送信することと、
をさらに備える、請求項１に記載の方法。
【請求項８】
前記品質インジケータは、リファレンス信号受信電力（ＲＳＲＰ）、リファレンス信号受信品質（ＲＳＲＱ）、受信信号強度インジケータ（ＲＳＳＩ）、シングル対干渉雑音比（ＳＩＮＲ）、共通パイロットチャネル（ＣＰＩＣＨ）受信信号コード電力（ＲＳＣＰ）、およびＣＰＩＣＨ  Ｅｃ／Ｎｏのうちの少なくとも１つを備える、請求項１に記載の方法。
【請求項９】
第１の無線機と第２の無線機とを有するユーザ機器上のワイヤレス通信のための装置であって、
第１の無線技術に基づく前記第１の無線機を使用して通信する手段と、
前記第１の無線機によって、前記第１の無線技術とは異なる第２の無線技術に基づく前記第２の無線機を、前記第２の無線技術とは異なる無線技術に基づいて送信された信号を受信するように構成する手段と、
前記第２の無線機によって、前記第２の無線機において受信された信号の品質インジケータを測定する手段と、ここで、前記信号は、前記第２の無線技術とは異なる前記無線技術に基づいて送信され、
前記第２の無線機によって、前記第２の無線技術とは異なる前記無線技術に基づいて受信された前記信号の前記品質インジケータを前記第１の無線機に報告する手段と、
を備える、装置。
【請求項１０】
前記第２の無線機が隣接セルまたはサービングセルから前記第２の無線技術とは異なる前記無線技術に基づいて送信された信号を受信する間に、前記第１の無線機において前記サービングセルから前記第１の無線技術に基づいて送信された信号を受信するように構成された、請求項９に記載の装置。
【請求項１１】
前記第１の無線技術はＬＴＥであり、前記第２の無線技術とは異なる前記無線技術は、周波数間測定の場合にはＬＴＥであり、ＲＡＴ間測定の場合にはＵＭＴＳである、請求項９に記載の装置。
【請求項１２】
前記第１の無線技術はＵＭＴＳであり、前記第２の無線技術とは異なる前記無線技術は、周波数間測定の場合にはＵＭＴＳであり、ＲＡＴ間測定の場合にはＬＴＥである、請求項９に記載の装置。
【請求項１３】
前記第２の無線技術はＷｉＦｉである、請求項９に記載の装置。
【請求項１４】
前記通信する手段が、前記測定を行うようにとのコマンドを受信する手段を備え、前記装置は、前記測定を行うように前記第２の無線機に要求する手段をさらに備え、
前記第１の無線機に前記品質インジケータを前記第２の無線機によって報告する手段と、
前記第１の無線機を使用してサービングセルに前記品質インジケータを送信する手段と、
をさらに備える、請求項９に記載の装置。
【請求項１５】
請求項１〜請求項８のいずれか一項に記載の方法を実施することをコンピュータに行わせるコードを記録したコンピュータ読み取り可能な記録媒体。
【発明の詳細な説明】
【技術分野】
【０００１】
[0001]  本開示は、一般に、通信システムに関し、より詳細には、ＵＭＴＳ−ＵＴＲＡおよびＬＴＥ  Ｅ−ＵＴＲＡにおける協調的な測定を備えた通信システムに関する。
【背景技術】
【０００２】
[0002]  ワイヤレス通信システムは、電話通信、映像、データ、メッセージング、およびブロードキャストのような様々な電気通信サービスを提供するために広く展開されている。典型的なワイヤレス通信システムは、利用可能なシステムリソース（たとえば、帯域幅、送信電力）を共有することによって多数のユーザとの通信をサポートすることが可能な多元接続技術を用いうる。そのような多元接続技術の例としては、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムが含まれる。
【０００３】
[0003]  これらの多元接続技術は、異なるワイヤレスデバイスが都市、国家、地域、さらには地球規模で通信することを可能にする共通プロトコルを提供するよう様々な電気通信規格において採用されている。台頭してきた電気通信規格の一例が、ロングタームエボリューション（ＬＴＥ）である。ＬＴＥは、第３世代パートナーシッププロジェクト（３ＧＰＰ）によって発表されたユニバーサルモバイルテレコミュニケーションシステム（ＵＭＴＳ）のモバイル規格を向上させたもののセットである。それは、スペクトル効率を改善することによってモバイルブロードバンドインターネットアクセスをより良くサポートし、コストを下げ、サービスを改善し、新たなスペクトルを利用し、ダウンリンク（ＤＬ）ではＯＦＤＭＡを、アップリンク（ＵＬ）ではＳＣ−ＦＤＭＡを、そして多入力多出力（ＭＩＭＯ）アンテナ技術を使用して他のオープン規格とより良く統合されるように設計されている。しかしながら、モバイルブロードバンドアクセスに関する需要が増大し続けるにつれ、ＬＴＥ技術における更なる改良の必要性が存在する。望ましくは、これらの改良は、これらの技術を用いる他の多元接続技術および電気通信規格に適用可能であるべきである。
【０００４】
[0004]  モバイル通信ネットワークでは、より良いサービス品質を維持するために、効率的な無線技術間（inter-radio technologies）（ＲＡＴ間（inter-RAT））および周波数間（inter-frequency）のハンドオーバメカニズムならびに無線リソース管理を必要とする、マルチプルなコロケート無線技術およびマルチプルなコロケートキャリアが、通常、展開される。ＲＡＴ間ハンドオーバは、Ｅ−ＵＴＲＡＮと、ＷＣＤＭＡ（登録商標）、ＧＳＭ（登録商標）、ｃｄｍａ２０００などの他の技術との間のモビリティを可能にする。周波数間ハンドオーバは、異なる周波数にあるが同じ技術で動作する２つのキャリア間のモビリティを可能にする。ＲＡＴ間または周波数間のハンドオーバは、オペレータが、良好なセルカバレッジを提供すること、負荷のバランシング、およびサービス品質を維持することのうちの１つまたは複数の目的を達成することを可能にする。サービングセルによるハンドオーバ決定は、ワイヤレスデバイスによって行なわれる測定に依存する。ワイヤレスデバイスがダウンリンク（ＤＬ）測定を行うことを要求される４つの一般的なシナリオは、以下のとおりである：  
・ワイヤレスデバイスが、ＵＭＴＳセルによってサービスされ、ＵＭＴＳセル上で測定を行うことを要求される。  
・ワイヤレスデバイスが、ＵＭＴＳセルによってサービスされ、ＬＴＥセル上で測定を行うことを要求される。  
・ワイヤレスデバイスが、ＬＴＥセルによってサービスされ、ＵＭＴＳセル上で測定を行うことを要求される。  
・ワイヤレスデバイスが、ＬＴＥセルによってサービスされ、ＬＴＥセル上で測定を行うことを要求される。
【０００５】
[0005]  ＲＡＴ間および周波数間をサポートするために、ワイヤレスデバイスは、ネットワークによって設定された測定ギャップの間にこれらの測定を行わなければならない。これらの測定ギャップは、ワイヤレスデバイスに割り当てられたリソースの部分を消費し、したがってサービス品質に影響を与える。
【発明の概要】
【０００６】
[0006]  本開示の一態様では、方法、コンピュータプログラムプロダクト、および装置が提供される。装置は、第１の無線技術に基づく第１の無線機を使用して通信し、第１の無線技術とは異なる第２の無線技術に基づく第２の無線機を、第２の無線技術とは異なる無線技術に基づいて送信された信号を受信するように構成する。装置は、また、第２の無線機において受信された信号の品質インジケータを測定（measure）する。信号は、第２の無線技術とは異なる無線技術に基づいて送信される。サービングセルから第１の無線技術に基づいて送信された信号は、第１の無線機において受信され、一方、第２の無線機は、隣接セルまたは同じサービングセルのいずれかから第２の無線技術とは異なる無線技術に基づいて送信された信号を受信する。
【０００７】
[0007]  第２の無線技術は、ＷｉＦｉ（登録商標）などのＷＬＡＮ技術でありえる。第２の無線技術とは異なる無線技術は、第１の無線機に関連する同じ無線技術でありえ、あるいは、第１の無線技術および第２の無線技術の両方と異なる第３の無線技術でありえる。たとえば、第１の無線技術がＬＴＥであり、そして第２の無線技術がＷｉＦｉであるケースでは、第２の無線機は、周波数間測定の目的でＬＴＥベースの無線技術にしたがって送信された信号を受信するように再構成され、あるいはＲＡＴ間測定の目的でＵＭＴＳにしたがって送信された信号を受信するように再構成されうる。第１の無線技術がＵＭＴＳであり、そして第２の無線技術がＷｉＦｉであるケースでは、第２の無線機は、ＲＡＴ間測定の目的でＬＴＥベースの無線技術にしたがって送信された信号を受信するように再構成され、あるいは周波数間測定の目的でＵＭＴＳにしたがって送信された信号を受信するように再構成されうる。
【０００８】
[0008]  受信された信号を送信するために使用された無線技術に応じて、品質インジケータは、リファレンス信号受信電力（RSRP：reference signal received power）、リファレンス信号受信品質（RSRQ：reference signal received quality）、受信信号強度インジケータ（RSSI：received signal strength indicator）、信号対干渉雑音比（SINR：single to interference plus noise ratio）、共通パイロットチャネル（CPICH：common pilot channel）、受信信号コード電力（RSCP：received signal code power）、およびCPICH Ec/Noのうちの１つでありうる。
【図面の簡単な説明】
【０００９】
【図１】ネットワークアーキテクチャの一例を示す図である。
【図２】アクセスネットワークの一例を示す図である。
【図３】ＬＴＥにおけるＤＬフレーム構成の一例を示す図である。
【図４】ＬＴＥにおけるＵＬフレーム構成の一例を示す図である。
【図５】ダウンリンクリファレンス信号構成を示す図である。
【図６】従来のハンドオーバプロセスの測定フェーズの間に使用されるメッセージを示す図である。
【図７】ＵＥとそのサービングセルとの間の通信におけるギャップを回避するハンドオーバプロセスの測定フェーズの一実施形態を示す図である。
【図８】ＵＥの第１の無線機と第２の無線機との間の通信を示す図である。
【図９】ワイヤレス通信の方法のフローチャートである。
【図１０】例示的な装置における種々のモジュール／手段／コンポーネント間のデータフローを示す概念的なデータフロー図である。
【図１１】処理システムを用いる装置のためのハードウェア実装形態の一例を示す図である。
【詳細な説明】
【００１０】
[0020]  添付の図面に関連して以下に述べられる詳細な説明は、様々な構成の説明を意図したものであって、本明細書において記載される概念が実施されうる唯一の構成を表すことを意図したものではない。詳細な説明は、様々な概念の完全な理解を提供する目的で、具体的な詳細を含む。しかしながら、これらの概念がこれらの具体的な詳細なしに実現されうるということは、当業者にとって明らかであろう。いくつかの例では、そのような概念を不明瞭にすることを避けるために、周知の構造およびコンポーネントがブロック図の形態で示される。
【００１１】
[0021]  電気通信システムのいくつかの態様が、様々な装置および方法に関連して提示される。これらの装置および方法は、以下の詳細な説明において説明され、添付の図面において、さまざまなブロック、モジュール、コンポーネント、回路、ステップ、プロセス、アルゴリズム等（集合的に「エレメント」と呼ばれる）によって例示される。これらのエレメントは、電子ハードウェア、コンピュータソフトウェア、またはこれらの任意の組み合わせを使用して実装されうる。そのようなエレメントがハードウェアとしてまたはソフトウェアとして実装されるかどうかは、システム全体において課される設計制約および特定のアプリケーションに依存する。
【００１２】
[0022]  例として、エレメント、またはエレメントの任意の一部、あるいはエレメントの任意の組み合わせは、１つまたは複数のプロセッサを含む「処理システム」を用いて実装されうる。プロセッサの例には、本開示全体を通して記述される様々な機能を遂行するように構成される、マイクロプロセッサ、マイクロコントローラ、デジタル信号プロセッサ（ＤＳＰ）、フィールドプログラマブルゲートアレイ（ＦＰＧＡ）、プログラマブルロジックデバイス（ＰＬＤ）、ステートマシン、ゲートロジック、ディスクリートハードウェア回路、および他の好適なハードウェアが含まれる。処理システム内の１つまたは複数のプロセッサは、ソフトウェアを実行しうる。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味するものと広く解釈されるべきである。
【００１３】
[0023]  したがって、１つまたは複数の例示的な実施形態では、ここに記載される機能は、ハードウェア、ソフウェア、ファームウェア、またはそれらの任意の組み合わせで実装されうる。ソフトウェアで実装される場合、機能は、コンピュータ可読媒体上の１つまたは複数の命令もしくはコードとして記憶されまたは符号化されうる。コンピュータ可読媒体は、コンピュータ記憶媒体を含む。記憶媒体は、コンピュータによってアクセスされることができる任意の利用可能な媒体でありうる。限定ではなく例として、このようなコンピュータ可読媒体は、ＲＡＭ、ＲＯＭ、ＥＥＰＲＯＭ（登録商標）、ＣＤ−ＲＯＭまたは他の光ディスクストレージ、磁気ディスクストレージまたはその他の磁気記憶デバイス、あるいは、データ構造または命令の形式で所望のプログラムコードを記憶または伝送するために使用可能であり、かつコンピュータによってアクセスされうるその他任意の媒体を備えうる。本明細書で使用される、ディスク（disk）とディスク（disc）は、コンパクトディスク（ＣＤ)、レーザーディスク（登録商標）、光学ディスク、デジタル多用途ディスク（ＤＶＤ)、およびフロッピー（登録商標）ディスクを含み、ディスク（disk）は通常、データを磁気的に再生し、ディスク（disc）は、レーザで光学的に再生する。上記の組み合わせもまた、コンピュータ読取可能な媒体の範囲内に含まれるべきである。
【００１４】
[0024]  図１は、ＬＴＥネットワークアーキテクチャ１００を例示する図である。ＬＴＥネットワークアーキテクチャ１００は、発展型パケットシステム（ＥＰＳ）１００として呼ばれうる。ＥＰＳ１００は、１つまたは複数のユーザ機器（ＵＥ）１０２、発展型ＵＭＴＳ地上波無線アクセスネットワーク（Ｅ−ＵＴＲＡＮ）１０４、発展型パケットコア（ＥＰＣ）１１０、ホーム加入者サーバ（ＨＳＳ）１２０、およびオペレータのＩＰサービス１２２を含みうる。ＥＰＳは、他のアクセスネットワークと相互接続することができるが、簡潔化のために、それらのエンティティ／インターフェースは図示していない。示されているように、ＥＰＳは、パケット交換サービスを提供するが、当業者には容易に理解されるように、本開示全体を通して提示される様々な概念は、回線交換サービスを提供するネットワークに拡張されうる。
【００１５】
[0025]  Ｅ−ＵＴＲＡＮは、発展型ノードＢ（ｅＮＢ）１０６および他のｅＮＢ１０８を含む。ｅＮＢ１０６は、ＵＥ１０２に対するユーザおよび制御プレーン・プロトコル・ターミネーションを提供する。ｅＮＢ１０６は、バックホール（たとえば、Ｘ２インターフェース）を介して他のｅＮＢ１０８に接続されることができる。ｅＮＢ１０６はまた、基地局、ベーストランシーバ局、無線基地局、無線トランシーバ、トランシーバ機能、基本サービスセット（ＢＳＳ）、拡張サービスセット（ＥＳＳ）、または他の何らかの適切な用語で呼ばれうる。ｅＮＢ１０６は、ＵＥ１０２のためのＥＰＣ１１０へのアクセスポイントを提供する。ＵＥ１０２の例は、セルラーフォン、スマートフォン、セッション開始プロトコル（ＳＩＰ）電話、ラップトップ、携帯情報端末（ＰＤＡ）、衛星ラジオ、全地球測位システム、マルチメディアデバイス、ビデオデバイス、デジタルオーディオプレイヤ（たとえば、ＭＰ３プレイヤ）、カメラ、ゲーム機器、または任意の他の同様の機能を有するデバイスを含む。ＵＥ１０２はまた、当業者には、移動局、加入者局、モバイルユニット、加入者ユニット、ワイヤレスユニット、ワイヤレスデバイス、リモートユニット、モバイルデバイス、ワイヤレスデバイス、無線通信デバイス、リモートデバイス、モバイル加入者局、アクセス端末、モバイル端末、ワイヤレス端末、リモート端末、ハンドセット、ユーザエージェント、モバイルクライアント、クライアント、または他の何らかの適切な用語で呼ばれうる。
【００１６】
[0026]  ｅＮＢ１０６は、Ｓ１インターフェースによってＥＰＣ１１０に接続される。ＥＰＣ１１０は、モビリティ管理エンティティ（ＭＭＥ）１１２、他のＭＭＥ１１４、サービングゲートウェイ１１６、パケットデータネットワーク（ＰＤＮ）ゲートウェイ１１８を含む。ＭＭＥ１１２は、ＵＥ１０２とＥＰＣ１１０との間のシグナリングを処理する制御ノードである。一般的に、ＭＭＥ１１２は、ベアラおよび接続管理を提供する。すべてのユーザＩＰパケットは、それ自体がＰＤＮゲートウェイ１１８に接続されたサービングゲートウェイ１１６を通じて転送される。ＰＤＮゲートウェイ１１８は、ＵＥにＩＰアドレスの割振りならびに他の機能を提供する。ＰＤＮゲートウェイ１１８は、オペレータのＩＰサービス１２２に接続される。オペレータのＩＰサービス１２２は、インターネット、イントラネット、ＩＰマルチメディアサブシステム（ＩＭＳ）、およびＰＳストリーミングサービス（ＰＳＳ）を含みうる。
【００１７】
[0027]  図２は、ＬＴＥネットワークアーキテクチャにおけるアクセスネットワーク２００の一例を示す図である。この例では、アクセスネットワーク２００が、多数のセルラー領域（セル）２０２に分割されている。１つまたは複数のより低い電力クラスのｅＮＢ２０８は、セル２０２のうちの１つまたは複数と重複するセルラー領域２１０を有しうる。より低い電力クラスのｅＮＢ２０８は、フェムトセル（たとえば、ホームｅＮＢ（ＨｅＮＢ））、ピコセル、マイクロセル、またはリモートラジオヘッド（ＲＲＨ）でありうる。マクロｅＮＢ２０４は各々、それぞれのセル２０２に割り当てられ、セル２０２内のすべてのＵＥ２０６のためにＥＰＣ１１０へのアクセスポイントを提供するように構成される。アクセスネットワーク２００のこの例には集中コントローラが存在しないが、代替の構成では、集中コントローラが使用されうる。ｅＮＢ２０４は、無線ベアラ制御、アドミッション制御、モビリティ制御、スケジューリング、セキュリティ、およびサービングゲートウェイ１１６への接続性を含む、すべての無線関連機能を担う。
【００１８】
[0028]  アクセスネットワーク２００によって用いられる変調および多元接続スキームは、展開されている特定の電気通信規格に応じて多様なものでありうる。ＬＴＥでは、ＯＦＤＭがダウンリンク（ＤＬ）で使用され、周波数分割複信（ＦＤＤ）および時分割複信（ＴＤＤ）の両方をサポートするためにＳＣ−ＦＤＭＡがアップリンク（ＵＬ）で使用される。以下の詳細な説明から当業者には容易に理解されるように、本明細書に提示される様々な概念は、ＬＴＥアプリケーションによく適している。しかしながら、これらの概念は、他の変調および多元接続技法を用いる他の電気通信標準規格に容易に拡張されうる。一例として、これらの概念は、エボリューションデータオプティマイズド（Evolution-Data Optimized）（ＥＶ−ＤＯ）またはウルトラモバイルブロードバンド（ＵＭＢ）に拡張されうる。ＥＶ−ＤＯおよびＵＭＢは、ＣＤＭＡ２０００規格ファミリーの一部として、第３世代パートナーシッププロジェクト２（３ＧＰＰ２）によって公表されたエアインターフェース規格であり、移動局にブロードバンドインターネットアクセスを提供するためにＣＤＭＡを用いる。これらの概念はまた、広帯域ＣＤＭＡ（Ｗ−ＣＤＭＡ（登録商標））、およびＴＤ−ＳＣＤＭＡのようなＣＤＭＡの他の変形形態を用いるユニバーサル地上無線アクセス（ＵＴＲＡ）、ＴＤＭＡを用いるグローバル移動体通信システム（ＧＳＭ（登録商標））、およびＯＦＤＭＡを用いるフラッシュＯＦＤＭ、ＩＥＥＥ８０２．２０、ＩＥＥＥ８０２．１６（ＷｉＭＡＸ（登録商標））、ＩＥＥＥ８０２．１１（Ｗｉ−Ｆｉ（登録商標））、ならびに発展型ＵＴＲＡ（Ｅ−ＵＴＲＡ）にも拡張されうる。ＵＴＲＡ、Ｅ−ＵＴＲＡ、ＵＭＴＳ、ＬＴＥ、およびＧＳＭ（登録商標）は、３ＧＰＰ団体からの文書に記載されている。ＣＤＭＡ２０００およびＵＭＢは、３ＧＰＰ２団体からの文書に記載されている。採用される実際のワイヤレス通信規格および多元接続技術は、システムに課せられる全体的な設計制約および特定のアプリケーションに依存する。
【００１９】
[0029]  ｅＮＢ２０４は、ＭＩＭＯ技術をサポートする多数のアンテナを有しうる。ＭＩＭＯ技術の使用により、ｅＮＢ２０４は、空間領域を利用して、空間多重、ビームフォーミング、および送信ダイバーシティをサポートすることが可能になる。空間多重化は、同じ周波数上で同時に異なるデータストリームを送信するために使用されうる。データストリームは、データレートを増加させるために単一のＵＥ２０６に、または、全体的なシステム容量を増加させるためにマルチプルなＵＥ２０６に、送信され得る。これは、各データストリームを空間的にプリコーディングし（すなわち、振幅および位相のスケーリングを適用し）、次いで、ＤＬ上でマルチプルな送信アンテナを通じて各々の空間的にプリコーディングされたストリームを送信することによって達成される。空間的にプリコーディングされたデータストリームは、異なる空間シグネチャとともにＵＥ２０６に到達し、それは、ＵＥ２０６の各々が、そのＵＥ２０６を宛先とする１つまたは複数のデータストリームを復元することを可能にする。ＵＬ上において、各ＵＥ２０６は、空間的にプリコーディングされたデータストリームを送信し、それは、ｅＮＢ２０４が、空間的にプリコーティングされた各データストリームのソースを識別することを可能にする。
【００２０】
[0030]  図３は、ＬＴＥにおけるＤＬフレーム構造の一例を示す図３００である。フレーム（１０ｍｓ）は、１０個の等しいサイズのサブフレームに分割されうる。各サブフレームは、２つの連続した時間スロットを含みうる。リソースグリッドは、２つのタイムスロットを表すよう使用され、各タイムスロットは、リソースブロックを含む。リソースグリッドは、多数のリソース要素に分割される。ＬＴＥにおいて、リソースブロックは、周波数領域内における１２の連続するサブキャリアと、各ＯＦＤＭシンボル内におけるノーマルサイクリックプリフィクスについては、時間領域内における７つの連続するＯＦＤＭシンボルとを含み、すなわち、８４のリソース要素を含む。拡張サイクリックプリフィックスについては、リソースブロックは、時間領域内に６つの連続したＯＦＤＭシンボルを含み、７２のリソース要素を有する。リソース要素のうちのいくつかは、Ｒ３０２、３０４として示されるように、ＤＬリファレンス信号（ＤＬ−ＲＳ）を含む。ＤＬ−ＲＳは、セル固有のＲＳ（ＣＲＳ）（共通ＲＳと呼ばれることもある）３０２およびＵＥ固有のＲＳ（ＵＥ−ＲＳ）３０４を含む。ＵＥ−ＲＳ３０４は、対応する物理ＤＬ共有チャネル（ＰＤＳＣＨ）がマッピングされるリソースブロック上においてのみ送信される。各リソース要素によって搬送されるビット数は、変調スキームに依存する。したがって、ＵＥが受信するリソースブロックが多いほど、また、変調スキームが高度であるほど、そのＵＥについてのデータレートは高くなる。
【００２１】
[0031]  図４は、ＬＴＥにおけるＵＬフレーム構造の一例を示す図４００である。ＵＬのために利用可能なリソースブロックは、データセクションと制御セクションとに区分されうる。制御セクションは、システム帯域幅の両端に形成され、設定可能なサイズを有しうる。制御セクション内のリソースブロックは、制御情報の送信のためにＵＥに割り当てられうる。データセクションは、制御セクションに含まれないすべてのリソースブロックを含みうる。ＵＬフレーム構造は、連続したサブキャリアを含むデータセクションをもたらし、それは、単一のＵＥに、データセクション内における連続したサブキャリアのすべてが割り当てられることを可能にしうる。
【００２２】
[0032]  ＵＥは、ｅＮＢに制御情報を送信するために制御セクション内におけるリソースブロック４１０ａ、４１０ｂを割り当てられうる。ＵＥはまた、ｅＮＢにデータを送信するためにデータセクション内におけるリソースブロック４２０ａ、４２０ｂを割り当てられうる。ＵＥは、制御セクション内の割り当てられたリソースブロック上で物理ＵＬ制御チャネル（ＰＵＣＣＨ）において制御情報を送信しうる。ＵＥは、データセクション内の割り当てられたリソースブロック上で物理ＵＬ共有チャネル（ＰＵＳＣＨ）において、データのみ、またはデータと制御情報の両方を送信しうる。ＵＬ送信は、サブフレームの両スロットにまたがり、周波数をホッピングしうる。
【００２３】
[0033]  リソースブロックのセットは、物理ランダムアクセスチャネル（ＰＲＡＣＨ）４３０において初期システムアクセスを遂行し、ＵＬ同期を達成するために使用されうる。ＰＲＡＣＨ４３０は、ランダムシーケンスを搬送することができ、ＵＬデータ／シグナリングは搬送しない。各ランダムアクセスプリアンブルは、６つの連続するリソースブロックに対応する帯域幅を占有する。開始周波数は、ネットワークによって指定される。すなわち、ランダムアクセスプリアンブルの送信は、ある特定の時間および周波数リソースに制限される。ＰＲＡＣＨについての周波数ホッピングはない。ＰＲＡＣＨ試行は、単一のサブフレーム（１ｍｓ）内、または２，３の連続するサブフレームのシーケンス内において搬送され、ＵＥは、フレーム（１０ｍｓ）毎に単一のＰＲＡＣＨ試行のみを行うことができる。
【００２４】
[0034]  セルラーネットワークでは、モバイルデバイスがセルからセルへと移動し、セル選択／再選択およびハンドオーバを行うときには、それは、隣接セルの信号強度／品質を測定しなければならない。このタイプのハンドオーバでは、ＵＥは、隣接セルを測定し、測定結果をネットワークに報告することによって、ハンドオーバの決定を支援し、ネットワークは、タイミングおよびターゲットセルを決定する。測定すべきパラメータおよび報告についてのしきい値は、ネットワークによって決定される。セルサーチとしても知られているセル測定は、複雑であり、計算に費用がかかる。それは、また、受信された信号と、送信された信号の既知の複製との間の相関関係を計算することを含むので、電力および時間を多く必要とする。モビリティに関してＵＥによって行われるべき測定は、周波数内（intra-frequency）測定、層間（inter-layer）（階層的なセル構造配置の場合）、周波数間（inter-frequency）測定、またはＲＡＴ間（inter-RAT）測定として分類される。測定量および報告イベントは、各測定タイプについて別個に考慮される。測定コマンドが、測定を開始、変更、または停止するようＵＥに命じるために、Ｅ−ＵＴＲＡＮによって使用される。RRC_IDLE状態では、ＵＥは、セル再選択について定義され、Ｅ−ＵＴＲＡＮによってブロードキャストされた測定パラメータに従う。RRC_CONNECTED状態では、ＵＥは、ｅＮＢから指示された無線リソースコントローラ（ＲＲＣ）によって指定されたMEASUREMENT_CONTROLのような測定コンフィギュレーションに従う。
【００２５】
[0035]  測定は、ＵＥが関連のある測定を実施するために送信／受信ギャップを必要とするかどうかに応じて、ギャップ支援型（gap assisted）または非ギャップ支援型（non-gap assisted）として分類される。非ギャップ支援型測定は、測定が実施されることを可能にするために、送信／受信ギャップを必要としないセル上の測定である。ギャップ支援型測定は、測定が実施されることを可能にするために送信／受信ギャップを必要とするセル上の測定である。ギャップパターンがＲＲＣによって設定され、アクティブ化される。現在の３ＧＰＰ標準によれば、ＵＥは、測定ギャップなしに周波数間のネイバー（セル）測定を実施することが可能であると考えられるべきではない。これは次のシナリオに当てはまる：（１）異なったキャリア周波数、現在のセルの帯域幅よりも小さいターゲットセルの帯域幅、現在のセルの帯域幅内のターゲットセルの帯域幅、（２）異なったキャリア周波数、現在のセルの帯域幅よりも大きいターゲットセルの帯域幅、ターゲットセルの帯域幅内の現在のセルの帯域幅、（３）異なったキャリア周波数およびオーバーラップしない帯域幅。測定ギャップは、モビリティサポートのためにギャップ支援型測定を実施することを必要とするＵＥのためにｅＮＢによって提供されるが、測定は、また、不連続受信（ＤＲＸ）、不連続送信（ＤＴＸ）、またはパケットスケジューリングによって提供されるダウンリンク／アップリンクアイドル期間中にＵＥによっても実施され得る。
【００２６】
[0036]  ＵＥがいずれかのセル状態にキャンプオンしているときには、ＵＥは、測定制御メッセージにおいて示された、またはサービングセルのシステム情報としてブロードキャストされた、周波数間またはＲＡＴ間セルからの品質インジケータを含む信号を受信および測定することを試みる。これらの信号および品質インジケータを受信および測定するために、ＵＥは、示された周波数間およびＲＡＴ間セルを検出し、同期させ、および／または監視する。ＵＥ測定アクティビティは、また、特定の条件が満たされている場合にＵＥがその測定アクティビティを制限できるようにする測定ルールによって制御される。３ＧＰＰ標準によれば、ＵＥは、新たな周波数間セルを識別し、キャリア周波数情報がサービングセルによって提供される場合は識別された周波数間セルの信号強度測定を実施することが可能である。これは、Ｅ−ＵＴＲＡおよびＵＴＲＡ技術両方に当てはまる。Ｅ−ＵＴＲＡのケースでは、ＵＥは、Ｅ−ＵＴＲＡキャリアごとに少なくとも４つの周波数間の識別されたセルのＲＳＲＰおよびＲＳＲＱ測定を計測するように要求される。また、最大少なくとも３つのＥ−ＵＴＲＡキャリアを監視するためにＵＥに課せられる要件がある。これは、全体で、Ｅ−ＵＴＲＡ ＵＥは、少なくとも１２の周波数間セルを測定することが可能であることを意味する。同様に、ＵＴＲＡ ＵＥは、最大で２つの追加のキャリア上のセルを含む、３２の周波数間セルを監視するように要求される。ＲＳＲＰおよびＲＳＲＱは、それぞれ、ＵＭＴＳ ＣＰＩＣＨ Ｅｃ／ＩｏおよびＣＰＩＣＨ ＲＳＣＰ測定に類似である。仕様は、また、これらの測定がどのくらいの頻度で実施されるべきかについて制約を課す。
【００２７】
[0037]  たとえばＵＴＲＡＮおよびＧＥＲＡＮに関する、ＲＡＴ間測定を実施するＬＴＥ準拠のＵＥ（ＵＥはＬＴＥセルによってサービスされ、ＵＭＴＳセルに対して測定を行うように要求される）、あるいは、たとえばＥ−ＵＴＲＡＮに関する、周波数間測定を実施するＬＴＥ準拠のＵＥ（ＵＥはＬＴＥセルによってサービスされ、ＬＴＥセルに対して測定を行うように要求される）、チューンアウェイ（tune away）することを要求される。同様に、ＲＡＴ間測定を実施するＵＭＴＳ準拠のＵＥ（ＵＥはＵＭＴＳセルによってサービスされ、ＬＴＥセルに対して測定を実施するように要求される）、あるいは周波数間測定を実施するＵＭＴＳ準拠のＵＥ（ＵＥはＵＭＴＳセルによってサービスされ、ＬＴＥセルに対して測定を行うように要求される）は、ハンドオーバプロセスをサポートするために測定を行う必要がある。測定を実施することは、測定ギャップの割当てと、ＵＥが圧縮モードに入ってチューンアウェイすることとを必要とする。いずれの場合も、ＵＥによってチューンアウェイすることは、サービスの品質および有効スループットに影響を与える通信ギャップを生み出す。
【００２８】
[0038]  測定を実施するために、ＵＥは、測定制御メッセージにおいて示された、またはサービングセルのシステム情報としてブロードキャストされた、周波数間またはＲＡＴ間セルからの品質インジケータを含む信号を受信し、測定する必要がある。このような受信および測定は、示された周波数間およびＲＡＴ間のセルを検出し、同期させ、および／または監視することを伴う。セルを検出し、同期させ、および監視する、この明確に定義された（well defined）マルチステッププロセスは、時間領域または周波数領域で行われることができる。このタイプの処理は、リアルタイムでまたはオフラインで実施され得る。オフラインモードでは、データは、キャプチャされ、記憶され、それから並列に処理される。
【００２９】
[0039]  上記のように、ＵＭＴＳネットワークでは、ＵＥは、受信信号強度インジケータ（ＲＳＳＩ）、共通パイロットチャネル（ＣＰＩＣＨ）、受信信号コード電力（ＲＳＣＰ）、およびＣＰＩＣＨ Ｅｃ／Ｎｏを測定する。ＬＴＥネットワークでは、ＵＥは、セルから受信したリファレンス信号（ＲＳ）に基づいて周期的にダウンリンク無線チャネル測定を行う。ＬＴＥにおけるＲＳは、ＷｉＭＡＸにおけるパイロットに類似している。ＵＥは、ＲＳに関して２つのパラメータ、すなわち、リファレンス信号受信電力（ＲＳＲＰ：reference signal received power）およびリファレンス信号受信品質（ＲＳＲＱ：reference signal received quality）を測定する。
【００３０】
[0040]  ＲＳＲＰは、ＲＳＳＩタイプの測定である。それは、ある特定の周波数帯域幅内でセル固有リファレンス信号を搬送するリソースエレメント上の平均的な受信電力を測定する。ＲＳＲＱは、Ｃ／Ｉタイプの測定であり、受信されたリファレンス信号の品質を示す。ＲＳＲＱは、（Ｎ＊ＲＳＲＰ）／（Ｅ−ＵＴＲＡキャリアＲＳＳＩ）と定義され、ここで、Ｎは、分子と分母が同じ周波数帯域幅にわたって測定されることを確実にする。キャリアＲＳＳＩは、Ｎ個のリソースブロックにわたる測定帯域幅におけるアンテナポート０に関するリファレンスシンボルを含んでいるＯＦＤＭシンボル（すなわち、あるスロット内のＯＦＤＭシンボル０＆４）でのみ観察される平均の総受信電力を測定する。
【００３１】
[0041]  キャリアＲＳＳＩの総受信電力は、共同チャネル（co-channel）サービングセルおよび非サービングセルからの電力、隣接チャネル干渉、熱雑音などを含む。ＲＳＲＰは、RRC_idleモードおよびRRC_connectedモードの両方において適用可能であり、一方、ＲＳＲＱは、RRC_connectedモードでのみ適用可能である。ＲＳＲＰは、アイドルモードにおいてセル選択およびセル再選択のプロシージャで使用される。ＲＳＲＰおよび／またはＲＳＲＱは、ハンドオーバのプロシージャで使用される。それは、インプリメンテーション固有（implementation specific）である。
【００３２】
[0042]  ＵＥは、サービングセルおよび隣接セルから受信されたＲＳに基づいてＲＳＲＰおよびＲＳＲＱの周期的な測定を行う。ＲＳＲＰ決定については、セル固有リファレンス信号Ｒｏが使用される。Ｒ１が利用可能であることをＵＥが確実に検出できる場合、それは、ＲＳＲＰを決定するために、Ｒｏに加えてＲ１を使用することができる。
【００３３】
[0043]  図５は、チャネル推定、ＣＱＩ測定、およびセルサーチ／取得のためのダウンリンクＲＳ構造５００を示す図である。リファレンスシンボル（Ｒ）は、すべてのサブフレームの、１番目のＯＦＤＭシンボル（１番目のＲ）５０２と、３番目〜最後のＯＦＤＭシンボル（２番目のＲ）５０４に位置する。
【００３４】
[0044]  ＬＴＥ準拠のＵＥは、異なる周波数／帯域における別のＬＴＥネットワークにハンドオーバすること（周波数間ハンドオーバ）、またはＵＭＴＳネットワークなどの非ＬＴＥネットワークにハンドオーバすること（ＲＡＴ間ハンドオーバ）を要求されうる。ＬＴＥ準拠のＵＥは、ハンドオーバプロセスをサポートするために、異なる周波数／帯域のＬＴＥおよび非ＬＴＥネットワークに対して測定を行う必要がある。上述のように、ハンドオーバ測定を行うために、ＬＴＥ準拠ＵＥは、測定ギャップの割当てを必要としうる。測定ギャップは、ＵＥが異なる無線接続技術（ＲＡＴ）送信または異なる周波数／帯域に対して測定プロシージャを自由に行えるときの、割り当てられた時間間隔である。測定ギャップの間、サービング基地局（ｅＮＢ）とＵＥとの間でデータは伝送されない。ＬＴＥ準拠ＵＥが、測定ギャップを使用せずに同じ周波数においてセルを測定することが望ましい。
【００３５】
[0045]  同様に、ＵＭＴＳ準拠のＵＥは、異なる周波数／帯域における別のＵＭＴＳネットワークにハンドオーバすること（周波数間ハンドオーバ）、またはＬＴＥネットワークなどの非ＵＭＴＳネットワークにハンドオーバすること（ＲＡＴ間ハンドオーバ）を要求され得る。ＵＭＴＳ準拠のＵＥは、圧縮モードで測定ギャップを使用せずに同じ周波数においてセルを測定することができる。
【００３６】
[0046]  図６は、従来のハンドオーバプロセスの測定フェーズの間に使用されるメッセージを示す図６００である。該プロセスでは、ソースｅＮＢ６０２がＵＥ６０６にコンフィギュレーションメッセージ６０４を送る。コンフィギュレーションメッセージ６０４は、どのように特定の測定を報告すべきかをＵＥに示す。コンフィギュレーションメッセージ６０４には、ＤＲＸ動作モードを想定して測定報告ギャップ（時間）間隔を定義する、ギャップパターンパラメータが含まれている。これらの測定ギャップ間隔中、ＵＥ６０６は、コンフィギュレーションメッセージ６０４において要求された測定を行うために、ソースｅＮＢ６０２と通信することを一時的に停止する。要求された測定を取得した後、ＵＥ６０６は、ソースｅＮＢ６０２に測定報告メッセージ６０８を送る。ソースｅＮＢ６０２は、ハンドオーバ（ＨＯ）決定６１０をするために、測定報告メッセージ６０８内の情報を使用する。
【００３７】
[0047]  図７は、ＵＥとそのサービングセルとの間の通信におけるギャップを回避するハンドオーバプロセスの測定フェーズの一実施形態を示す。この実施形態では、ＵＥの第２の無線機が、測定を行うために使用され、それによって図６に示されたギャップパターンの使用を不要にしている。ＵＥの第１の無線機は、これらの測定を行うようにＵＥの第２の無線機を一時的に構成する。これは、モバイルデバイスが異なるネットワークに対して機能するように設計されたマルチプルな無線機を有するので、実行可能である。たとえば、Ｅ−ＵＴＲＡＮおよびＷＣＤＭＡ無線機は、ワイヤレス広域ネットワーク（ＷＷＡＮ）に対して機能するように設計され、一方、８０２．１１無線機は、ワイヤレスローカルエリアネットワーク（ＷＬＡＮ）に対して機能するように設計される。これらのＷＬＡＮ無線機は、それらの通常動作の一部としてＦＦＴエンジンを実装する。ＦＦＴエンジンは、ＷＷＡＮネットワークのダウンリンク上で測定を行うために使用されることができ、したがって、測定ギャップをともなってワイヤレスデバイスを構成する必要をなくす。
【００３８】
[0048]  ＵＥ７０２が、隣接セル７１０内の第２のｅＮＢ７０８に隣接するサービングセル７０６内で第１のｅＮＢ７０４と通信する様子が示されている。ＵＥ７０２、７０２’は、第１の無線技術、たとえば、ＬＴＥやＵＭＴＳなどのワイヤレス広域ネットワーク（ＷＷＡＮ）を実装する無線技術、に基づいた第１の無線機７１２を含む。ＵＥ７０２、７０２’は、また、第１の無線技術とは異なる第２の無線技術、たとえば、Ｗｉ−Ｆｉなど、ワイヤレスローカルエリアネットワーク（ＷＬＡＮ）を実装する無線技術、に基づいた第２の無線機７１４を含む。ただし、第２の無線機７１４は、第２の無線技術とは異なる無線技術に基づいて送信された信号を、異なる周波数で動作する隣接セルから受信するように構成され、または構成可能である。
【００３９】
[0049]  たとえば、第２の無線機のＦＦＴエンジンは、ＷＷＡＮネットワークのダウンリンク上で測定を行うように構成されることができる。したがって、ＬＴＥ技術に基づいて送信された信号を受信するように、Ｗｉ−Ｆｉモデム（ＯＦＤＭベースの無線機である）などのＷＬＡＮモデムを再構成することが可能である。したがって、第２の無線機７１４は、前述のＥ−ＵＴＲＡＮおよびハンドオーバ測定を行うことができ、一方、第１の無線機７１２は、その現在のキャリア周波数にとどまり、サービングセルにおいて通信し続ける。この同時のデュアル無線機動作モードでは、第１の無線機とサービングセルとの通信が中断されないので、望ましくない通信ギャップが回避される。
【００４０】
[0050]  この実装形態では、ＵＥ７０２の第１の無線機７１２は、サービングセル７０６のｅＮＢ７０４からコマンド７１６、７１６’を受信する。第１の無線機７１２は、隣接セル７１０において第２のｅＮＢ７０８によって送信された信号７１８、７１８’を受信し、受信した信号７１８、７１８’から品質インジケータを取り出すように、第２の無線機７１４を構成する。この動作モードは、第１の無線機７１２と第２の無線機７１４との間の密な協働を必要とする。この目的を達成するために、第１の無線機７１２および第２の無線機７１４は、並列な、すなわち同時の、無線機の動作、ならびに必要とされる第２の無線機のコンフィギュレーションを可能にするために、互いに通信するように構成される。
【００４１】
[0051]  図８は、ＵＥの第１の無線機８０２と第２の無線機８０４との間の通信を示す図８００である。サービングセルと通信する第１の無線機８０２が、隣接セルの品質測定を行うことをＵＥに命じるサービングセルのＥ−ＵＴＲＡＮからのコマンドを受信するときには、第１の無線機８０２は、第２の無線機８０４にコンフィギュレーションコマンド８０６を出力し、それが、その主要無線技術とは異なる無線技術への第２の無線機の再コンフィギュレーションを開始させる。コンフィギュレーションコマンドは、第２の無線機８０４が隣接セルから品質インジケータを含む信号を受信して測定することを可能にする情報を、第２の無線機に提供する。コマンドには、これらに限るものではないが、ＦＦＴポイントの数、サブキャリア間の間隔、サンプリング周波数、中心周波数、および帯域幅が含まれる。
【００４２】
[0052]  第１の無線機８０２は、また、第２の無線機８０４に測定要求コマンド８０８を出力する。要求コマンド８０８は、第２の無線機８０４にどの測定値を取得すべきかを伝える。第２の無線機８０４は、測定要求メッセージ中で示された周波数間またはＲＡＴ間セルから品質インジケータを含む信号を受信し、測定する。そのような受信および測定は、示された周波数間およびＲＡＴ間セルを検出し、同期させ、および／または監視することを伴う。検出、同期、および監視は、周波数領域または時間領域のいずれかで行われうる。処理は、また、リアルタイムまたはオフラインで実施され得る。オフラインモードでは、データは、キャプチャされ、記憶され、次いで、処理される。
【００４３】
[0053]  測定値が第２の無線機８０４によって取得されたときには、第２の無線機は、第１の無線機８０２に測定応答８１０を出力する。応答メッセージには、これらに限るものではないが、物理セルＩＤ（Physical Cell ID）、測定タイプ（Measurement Type）、測定ＩＤ（Measurement ID）、測定オブジェクトＩＤ（Measurement Object ID）、報告コンフィギュレーションＩＤ、および測定報告が含まれる。
【００４４】
[0054]  その後、サービングセルと通信している第１の無線機８０２は、隣接セルの品質測定を止めるようにＵＥに命じるサービングセルのＥ−ＵＴＲＡＮからのコマンドを受信しうる。この場合、第１の無線機８０２は、別のコンフィギュレーションコマンド８０６を送ることによって、その主要無線技術へと戻る、第２の無線機８０４の再コンフィギュレーションを開始する。
【００４５】
[0055]  図９は、ワイヤレス通信の方法のフローチャート９００である。方法は、図７に関して前述したような、第１の無線技術に基づく第１の無線機と、第１の無線技術とは異なる第２の無線技術に基づく第２の無線機とを有するＵＥによって実施され得る。ステップ９０２において、ＵＥの第１の無線機は、たとえば、サービングセルから第１の無線技術に基づいて送信された信号を受信することによって通信する。第１の無線技術は、ＬＴＥやＵＭＴＳなどのＷＷＡＮ技術でありえる。
【００４６】
[0056]  ステップ９０４において、ＵＥの第１の無線機は、隣接セルに関する品質インジケータを得るために隣接セルの測定を実施するようにとのコマンドをサービングセルから受信する。ＬＴＥベースの隣接セルのケースでは、品質インジケータは、たとえば、ＲＳＲＰ、ＲＳＲＱ、および信号対干渉プラス雑音比（ＳＩＮＲ）のうちの１つまたは複数を含み得る。ＵＭＴＳベースの隣接セルのケースでは、品質インジケータは、たとえば、ＲＳＳＩ、ＣＰＩＣＨ−ＲＳＣＰ、およびＣＰＩＣＨ  Ｅｃ／Ｎｏのうちの１つまたは複数を含み得る。
【００４７】
[0057]  ステップ９０６において、ＵＥの第１の無線機は、第２の無線技術とは異なる無線技術に基づいて送信された信号を受信するように、第２の無線技術に基づいた第２の無線機を構成する。第２の無線技術は、ＷｉＦｉなど、ＷＬＡＮ技術でありえる。第２の無線技術とは異なる無線技術は、第１の無線機に関連付けられた同じ無線技術でありえ、あるいは、第１の無線技術および第２の無線技術の両方と異なる第３の無線技術でありえる。たとえば、第１の無線技術がＬＴＥであり、第２の無線技術がＷｉＦｉであるケースでは、第２の無線機は、周波数間測定の目的でＬＴＥベースの無線技術に従って送信された信号を受信するように再構成され、またはＲＡＴ間測定の目的でＵＭＴＳに従って送信された信号を受信するように再構成され得る。第１の無線技術がＵＭＴＳであり、第２の無線技術がＷｉＦｉであるケースでは、第２の無線機は、ＲＡＴ間測定の目的でＬＴＥベースの無線技術に従って送信された信号を受信するように再構成され、または周波数間測定の目的でＵＭＴＳに従って送信された信号を受信するように再構成され得る。上記のように、第２の無線機の再コンフィギュレーションは、第１の無線機によって第２の無線機に送られたコンフィギュレーションコマンドを通じてなされる。
【００４８】
[0058]  ステップ９０８において、ＵＥの第１の無線機は、第２の無線機に測定を行うように要求する。第２の無線機の再コンフィギュレーションが、本明細書では、測定を行うようにという第２の無線機に対する要求に先立って記載されているが、これらのステップがいずれの順序でも実施され得、または同時に実施され得ることに留意されたい。換言すれば、測定するようにとの要求および第２の無線機のコンフィギュレーションは、いずれの順序でも起こる、または事実上同時におこるものとみなされ得る。
【００４９】
[0059]  ステップ９１０において、ＵＥの第２の無線機は、第２の無線機において隣接セルから受信した信号の品質インジケータを測定する。この信号、たとえば、リファレンス信号（ＲＳ）は、第２の無線技術とは異なる無線技術に基づいて送信される。測定は、隣接セルから第２の無線機によって受信された信号を検出し、同期させ、それらから、ＲＳＲＰ、ＲＳＲＱ、またはＳＩＮＲ（ＬＴＥの場合）もしくはＲＳＳＩ、ＣＰＩＣＨ−ＲＳＣＰ、またはＣＰＩＣＨ  Ｅｃ／Ｎｏ（ＵＭＴＳの場合）など、適切な品質インジケータを外挿（extrapolating）することを伴う。検出および同期化は、周波数領域または時間領域で行われ得る。処理は、また、リアルタイムでまたはオフラインで実施され得る。オフラインモードでは、データは、キャプチャされ、記憶されて、それから処理される。
【００５０】
[0060]  ステップ９１２において、ＵＥの第２の無線機は、第１の無線機に応答メッセージを送ることによって、品質インジケータを第１の無線機に報告する。図１０に関して前述したように、応答メッセージには、これらに限定するものではないが、物理セルＩＤ（Physical Cell ID）、測定タイプ（Measurement Type）、測定ＩＤ（Measurement ID）、測定オブジェクトＩＤ（Measurement Object ID）、報告コンフィギュレーションＩＤ（Report configuration ID）、および測定報告（Measurement report）が含まれ得る。
【００５１】
[0061]  最後に、ステップ９１４において、ＵＥの第１の無線機が第１の無線技術（ＵＭＴＳまたはＬＴＥ）に基づいた第１の無線機を使用してサービングセル内のｅＮＢに品質インジケータを送信する。ｅＮＢは、品質インジケータを使用して、ハンドオーバが起こるべきかどうかを決定する。
【００５２】
[0062]  図１０は、例示的な装置１００２における様々なモジュール／手段／コンポーネント間のデータフローを示す概念的なデータフローダイアグラム１０００である。装置はＵＥであり得る。装置１００２は、第１の無線技術に基づく第１の無線機モジュール１００４と、第１の無線技術とは異なる第２の無線技術に基づく第２の無線機モジュール１００６とを含む。第１の無線機モジュール１００４は、図９に関して前述した測定動作を実行するようにとのコマンドを受信する受信モジュール１００８を含む。コマンドは、装置１００２のサービングセル内で、機器１０２２、たとえばｅＮＢ、から送信された信号１０２０を通じて受信され、第１の無線技術に基づいて第１の無線機を使用して受信される。
【００５３】
[0063]  第１の無線機モジュール１００４は、また、要求モジュール１０１０と構成モジュール１０１２とを含む。要求モジュール１０１０は、測定を行うようにと第２の無線機１００６に要求し、一方、構成モジュール１００８は、第２の無線技術とは異なる無線技術に基づいて送信された信号を受信するように第２の無線機モジュール１００６を構成する。
【００５４】
[0064]  第２の無線機モジュール１００６は、第２の無線機モジュールにおいて受信された信号１０２４の品質インジケータを測定する測定モジュール１０１４を含む。信号１０２４は、隣接セル内の機器１０２６から送信され、第２の無線技術とは異なる無線技術に基づく。第２の無線機モジュール１００６は、また、第１の無線機１００４に品質インジケータを報告する報告モジュール１０１６を含む。第１の無線機モジュール１００４は、サービングセルにおいて機器１０２２に品質インジケータを送信する送信モジュール１０１８をさらに含む。品質インジケータは、第１の無線技術に基づいて第１の無線機を使用して信号１０２８によって伝送される。第１の無線機モジュール１００４のモジュール１００８、１０１０、１０１２、１０１８のうちの１つまたは複数は、第１の無線技術に基づく第１の無線機を使用する通信を可能にする通信モジュールの役割を果たす。
【００５５】
[0065]  装置１００２は、図９の前述のフローチャート内のアルゴリズムのステップの各々を行う追加モジュールを含みうる。したがって、図９の前述のフローチャート内の各ステップは、モジュールによって行なわれ得、装置は、それらのモジュールのうちの１つまたは複数を含み得る。モジュールは、ここに記載したプロセス／アルゴリズムを実施するように特に構成された１つまたは複数のハードウェアコンポーネント、ここに記載したプロセス／アルゴリズムを実行するように構成されたプロセッサによって実装された１つまたは複数のハードウェアコンポーネント、プロセッサによる実装のためにコンピュータ可読媒体内に格納された１つまたは複数のハードウェアコンポーネント、あるいはそれらの何らかの組合せであり得る。
【００５６】
[0066]  図１１は、処理システム１１１４を用いる装置１００２’に関するハードウェア実装の一例を示すダイアグラム１１００である。処理システム１１１４は、バス１１２４によっておおまかに表されたバスアーキテクチャを用いて実装され得る。バス１１２４は、処理システム１１１４の特定のアプリケーションおよび全体的な設計制約に応じて、任意の数の相互接続バスおよびブリッジを含みうる。バス１１２４は、プロセッサ１１０４、モジュール１００４、１００６、１００８、１０１０、１０１２、１０１４、１０１６、１０１８、およびコンピュータ可読媒体１１０６によって表される、１つまたは複数のプロセッサおよび／またはハードウェアモジュールを含む様々な回路をつなぎ合わせる。バス１１２４はまた、タイミングソース、周辺機器、電圧調整器、および電力管理回路などの様々な他の回路をつなぐことができ、これらは、当該技術分野においてよく知られており、したがって、これ以上は説明しない。
【００５７】
[0067］  処理システム１１１４は、トランシーバ１１１０に結合されうる。トランシーバ１１１０は、１つまたは複数のアンテナ１１２０に結合される。トランシーバ１１１０は、伝送媒体を通じて他の様々な装置と通信する手段を提供する。処理システム１１１４は、コンピュータ可読媒体１１０６に結合されたプロセッサ１１０４を含む。プロセッサ１１０４は、コンピュータ可読媒体１１０６上に記憶されたソフトウェアの実行を含む、一般的な処理を担う。このソフトウェアは、プロセッサ１１０４によって実行されたときに、処理システム１１１４に、任意の特定の装置のために上記に説明した様々な機能を実行させる。コンピュータ可読媒体１１０６はまた、ソフトウェアを実行するときにプロセッサ１１０４によって操作されるデータを記憶するために使用されうる。処理システムは、モジュール１００４、１００６、１００８、１０１０、１０１２、１０１４、１０１６、１０１８のうちの少なくとも１つをさらに含む。モジュールは、プロセッサ１１０４において動作しているソフトウェアモジュール、コンピュータ可読媒体１１０６内に存在する／記憶されたソフトウェアモジュール、プロセッサ１１０４に結合された１つまたは複数のハードウェアモジュール、またはそれらの何らかの組み合わせでありうる。処理システム１１１４は、ＵＥ６５０のコンポーネントでありえ、メモリ６６０、ならびに／または、ＴＸプロセッサ６６８、ＲＸプロセッサ６５６、およびコントローラ／プロセッサ６５９のうちの少なくとも１つを含みうる。
【００５８】
[0068]  一構成では、ワイヤレス通信のための装置１００２／１００２’は、第１の無線技術に基づく第１の無線機を使用して通信する手段と、第１の無線技術とは異なる第２の無線技術に基づく第２の無線機を、第２の無線技術とは異なる無線技術に基づいて送信された信号を受信するように構成する手段と、第２の無線機において受信された信号の品質インジケータを測定する手段であって、該信号は、第２の無線技術とは異なる無線技術に基づいて送信される、測定する手段と、を含む。ワイヤレス通信のための装置１００２／１００２’は、測定を行うようにとのコマンドを受信する手段と、測定を実施するように第２の無線機に要求する手段と、第２の無線機によって第１の無線機に品質インジケータを報告する手段と、第１の無線機を使用してサービングセルに品質インジケータを送信する手段と、をさらに含む。
【００５９】
[0069］  上述の手段は、装置１００２の上述のモジュール、および／または上述の手段によって記載された機能を実行するように構成された装置１００２’の処理システム１１１４のうちの１つまたは複数でありうる。前述されたように、処理システム１１１４は、ＴＸプロセッサ６６８、ＲＸプロセッサ６５６、およびコントローラ／プロセッサ６５９を含みうる。したがって、一構成では、前述された手段は、前述された手段によって列挙された機能を実行するように構成されたＴＸプロセッサ６６８、ＲＸプロセッサ６５６、およびコントローラ／プロセッサ６５９でありうる。
【００６０】
[0070]  ここに開示されたプロセスにおけるステップの特定の順序または階層は、例示的なアプローチの一例であることが理解される。設計の選好に基づいて、これらのプロセスにおけるステップの特定の順序または階層が並べ替えられうることが理解される。さらに、いくつかのステップは、組み合わされ、または省略されうる。添付の方法クレームは、サンプルの順序において様々なステップの要素を提示しており、提示される特定の順序または階層だけに限定されることを意図したものではない。
【００６１】
[0071]  上記説明は、当業者が本明細書において記述される様々な態様を実現することが可能となるように提供されている。これらの態様に対する様々な変更は、当業者には容易に明らかになり、本明細書において定義される包括的な原理は、他の態様に適用されうる。このように、請求項は、ここに示される態様だけに限定されることが意図されたものではなく、請求項の文言と矛盾しない最大範囲であると認められるべきであり、ここにおいて、単数形での要素への言及は、特に指定のない限り、「１つであって１つのみ」を意味するのではなく、むしろ「１つまたは複数」を意味することが意図されている。特に指定のない限り、「何らかの／いくつかの」という用語は、１つまたは複数を指す。当業者に周知の、または後に周知となる、本開示を通して記述される様々な態様の要素と構造的および機能的に等価の物は、すべて、参照によって本明細書に明確に組み込まれ、特許請求の範囲に包含されることが意図されている。さらに、本明細書におけるいずれの開示も、そのような開示が特許請求の範囲において明示的に列挙されているか否かに関わらず、公に献呈されることを意図するものではない。要素が「〜のための手段」という表現を使用して明確に列挙されない限り、どの特許請求の範囲の要素もミーンズプラスファンクションとして解釈されるべきではない。
以下に、出願当初の特許請求の範囲に記載された発明を付記する。
［Ｃ１］
第１の無線技術に基づく第１の無線機を使用して通信することと、
前記第１の無線技術とは異なる第２の無線技術に基づく第２の無線機を、前記第２の無線技術とは異なる無線技術に基づいて送信された信号を受信するように構成することと、
前記第２の無線機において受信された信号の品質インジケータを測定することと、ここで、前記信号は、前記第２の無線技術とは異なる前記無線技術に基づいて送信される、
を備える、ワイヤレス通信の方法。
［Ｃ２］
前記第２の無線機が隣接セルから前記第２の無線技術とは異なる前記無線技術に基づいて送信された信号を受信する間に、前記第１の無線機においてサービングセルから前記第１の無線技術に基づいて送信された信号を受信すること、をさらに備える、上記Ｃ１に記載の方法。
［Ｃ３］
前記第２の無線機がサービングセルから前記第２の無線技術とは異なる前記無線技術に基づいて送信された信号を受信する間に、前記第１の無線機において前記サービングセルから前記第１の無線技術に基づいて送信された信号を受信すること、をさらに備える、上記Ｃ１に記載の方法。
［Ｃ４］
前記第１の無線技術はＬＴＥであり、前記第２の無線技術とは異なる前記無線技術は、周波数間測定の場合にはＬＴＥであり、ＲＡＴ間測定の場合にはＵＭＴＳである、上記Ｃ１に記載の方法。
［Ｃ５］
前記第１の無線技術はＵＭＴＳであり、前記第２の無線技術とは異なる前記無線技術は、周波数間測定の場合にはＵＭＴＳであり、ＲＡＴ間測定の場合にはＬＴＥである、上記Ｃ１に記載の方法。
［Ｃ６］
前記第２の無線技術はＷｉＦｉである、上記Ｃ１に記載の方法。
［Ｃ７］
測定を行うようにとのコマンドを受信することと、ここで、前記コマンドは、前記第１の無線機を使用して受信される、
測定を行うように前記第２の無線機に要求することと、
をさらに備える、上記Ｃ１に記載の方法。
［Ｃ８］
前記第１の無線機に前記品質インジケータを前記第２の無線機によって報告することと、
前記第１の無線機を使用してサービングセルに前記品質インジケータを送信することと、
をさらに備える、上記Ｃ７に記載の方法。
［Ｃ９］
前記品質インジケータは、リファレンス信号受信電力（ＲＳＲＰ）、リファレンス信号受信品質（ＲＳＲＱ）、受信信号強度インジケータ（ＲＳＳＩ）、信号対干渉雑音比（ＳＩＮＲ）、共通パイロットチャネル（ＣＰＩＣＨ）受信信号コード電力（ＲＳＣＰ）、およびＣＰＩＣＨ Ｅｃ／Ｎｏのうちの少なくとも１つを含む、上記Ｃ１に記載の方法。
［Ｃ１０］
第１の無線技術に基づく第１の無線機を使用して通信する手段と、
前記第１の無線技術とは異なる第２の無線技術に基づく第２の無線機を、前記第２の無線技術とは異なる無線技術に基づいて送信された信号を受信するように構成する手段と、
前記第２の無線機において受信された信号の品質インジケータを測定する手段と、ここで、前記信号は、前記第２の無線技術とは異なる前記無線技術に基づいて送信される、
を備える、ワイヤレス通信のための装置。
［Ｃ１１］
前記第２の無線機が隣接セルから前記第２の無線技術とは異なる前記無線技術に基づいて送信された信号を受信する間に、前記第１の無線機においてサービングセルから前記第１の無線技術に基づいて送信された信号を受信するように構成された、上記Ｃ１０に記載の装置。
［Ｃ１２］
前記第２の無線機がサービングセルから前記第２の無線技術とは異なる前記無線技術に基づいて送信された信号を受信する間に、前記第１の無線機において前記サービングセルから前記第１の無線技術に基づいて送信された信号を受信するように構成された、上記Ｃ１０に記載の装置。
［Ｃ１３］
前記第１の無線技術はＬＴＥであり、前記第２の無線技術とは異なる前記無線技術は、周波数間測定の場合にはＬＴＥであり、ＲＡＴ間測定の場合にはＵＭＴＳである、上記Ｃ１０に記載の装置。
［Ｃ１４］
前記第１の無線技術はＵＭＴＳであり、前記第２の無線技術とは異なる前記無線技術は、周波数間測定の場合にはＵＭＴＳであり、ＲＡＴ間測定の場合にはＬＴＥである、上記Ｃ１０に記載の装置。
［Ｃ１５］
前記第２の無線技術はＷｉＦｉである、上記Ｃ１０に記載の装置。
［Ｃ１６］
前記通信する手段が、測定を行うようにとのコマンドを受信する手段を含み、前記装置は、測定を行うように前記第２の無線機に要求する手段をさらに備える、上記Ｃ１０に記載の装置。
［Ｃ１７］
前記第１の無線機に前記品質インジケータを前記第２の無線機によって報告する手段と、
前記第１の無線機を使用してサービングセルに前記品質インジケータを送信する手段と、
をさらに備える、上記Ｃ１６に記載の装置。
［Ｃ１８］
前記品質インジケータは、リファレンス信号受信電力（ＲＳＲＰ）、リファレンス信号受信品質（ＲＳＲＱ）、受信信号強度インジケータ（ＲＳＳＩ）、信号対干渉雑音比（ＳＩＮＲ）、共通パイロットチャネル（ＣＰＩＣＨ）受信信号コード電力（ＲＳＣＰ）、およびＣＰＩＣＨ Ｅｃ／Ｎｏのうちの少なくとも１つを含む、上記Ｃ１０に記載の装置。
［Ｃ１９］
ワイヤレス通信のための装置であって、
第１の無線技術に基づく第１の無線機を使用して通信することと、
前記第１の無線技術とは異なる第２の無線技術に基づく第２の無線機を、前記第２の無線技術とは異なる無線技術に基づいて送信された信号を受信するように構成することと、
前記第２の無線機において受信された信号の品質インジケータを測定することと、ここで、前記信号は、前記第２の無線技術とは異なる前記無線技術に基づいて送信される、
を行うように構成された処理システム、を備える、装置。
［Ｃ２０］
前記処理システムがさらに、前記第２の無線機が隣接セルから前記第２の無線技術とは異なる前記無線技術に基づいて送信された信号を受信する間に、前記第１の無線機においてサービングセルから前記第１の無線技術に基づいて送信された信号を受信するように構成された、上記Ｃ１９に記載の装置。
［Ｃ２１］
前記処理システムがさらに、前記第２の無線機がサービングセルから前記第２の無線技術とは異なる前記無線技術に基づいて送信された信号を受信する間に、前記第１の無線機において前記サービングセルから前記第１の無線技術に基づいて送信された信号を受信するように構成された、上記Ｃ１９に記載の装置。
［Ｃ２２］
前記第１の無線技術はＬＴＥであり、前記第２の無線技術とは異なる前記無線技術は、周波数間測定の場合にはＬＴＥであり、ＲＡＴ間測定の場合にはＵＭＴＳである、上記Ｃ１９に記載の装置。
［Ｃ２３］
前記第１の無線技術はＵＭＴＳであり、前記第２の無線技術とは異なる前記無線技術は、周波数間測定の場合にはＵＭＴＳであり、ＲＡＴ間測定の場合にはＬＴＥである、上記Ｃ１９に記載の装置。
［Ｃ２４］
前記第２の無線技術はＷｉＦｉである、上記Ｃ１９に記載の装置。
［Ｃ２５］
前記処理システムがさらに、
測定を行うようにとのコマンドを受信することと、ここで、前記コマンドは、前記第１の無線機を使用して受信される、
測定を行うように前記第２の無線機に要求することと、
を行うように構成された、上記Ｃ１９に記載の装置。
［Ｃ２６］
前記処理システムがさらに、
前記第１の無線機に前記品質インジケータを前記第２の無線機によって報告することと、
前記第１の無線機を使用してサービングセルに前記品質インジケータを送信することと、
を行うように構成された、上記Ｃ２５に記載の装置。
［Ｃ２７］
前記品質インジケータは、リファレンス信号受信電力（ＲＳＲＰ）、リファレンス信号受信品質（ＲＳＲＱ）、受信信号強度インジケータ（ＲＳＳＩ）、信号対干渉雑音比（ＳＩＮＲ）、共通パイロットチャネル（ＣＰＩＣＨ）受信信号コード電力（ＲＳＣＰ）、およびＣＰＩＣＨ Ｅｃ／Ｎｏのうちの少なくとも１つを含む、上記Ｃ１９に記載の装置。
［Ｃ２８］
コンピュータプログラム製品であって、
第１の無線技術に基づく第１の無線機を使用して通信することと、
前記第１の無線技術とは異なる第２の無線技術に基づく第２の無線機を、前記第２の無線技術とは異なる無線技術に基づいて送信された信号を受信するように構成することと、
前記第２の無線機において受信された信号の品質インジケータを測定することと、ここで、前記信号は、前記第２の無線技術とは異なる前記無線技術に基づいて送信される、
のためのコードを備えたコンピュータ可読媒体を備えるコンピュータプログラム製品。
［Ｃ２９］
前記第２の無線機が隣接セルから前記第２の無線技術とは異なる前記無線技術に基づいて送信された信号を受信する間に、前記第１の無線機においてサービングセルから前記第１の無線技術に基づいて送信された信号を受信するためのコードをさらに備える、上記Ｃ２８に記載の製品。
［Ｃ３０］
前記第２の無線機がサービングセルから前記第２の無線技術とは異なる前記無線技術に基づいて送信された信号を受信する間に、前記第１の無線機において前記サービングセルから前記第１の無線技術に基づいて送信された信号を受信するためのコードをさらに備える、上記Ｃ２８に記載の製品。
［Ｃ３１］
前記第１の無線技術はＬＴＥであり、前記第２の無線技術とは異なる前記無線技術は、周波数間測定の場合にはＬＴＥであり、ＲＡＴ間測定の場合にはＵＭＴＳである、上記Ｃ２８に記載の方法。
［Ｃ３２］
前記第１の無線技術はＵＭＴＳであり、前記第２の無線技術とは異なる前記無線技術は、周波数間測定の場合にはＵＭＴＳであり、ＲＡＴ間測定の場合にはＬＴＥである、上記Ｃ２８に記載の方法。
［Ｃ３３］
前記第２の無線技術はＷｉＦｉである、上記Ｃ２８に記載の製品。
［Ｃ３４］
測定を行うようにとのコマンドを受信することと、ここで、前記コマンドは、前記第１の無線機を使用して受信される、
測定を行うように前記第２の無線機に要求することと、
のためのコードをさらに備える、上記Ｃ２８に記載の製品。
［Ｃ３５］
前記第１の無線機に前記品質インジケータを前記第２の無線機によって報告することと、
前記第１の無線機を使用してサービングセルに前記品質インジケータを送信することと、
のためのコードをさらに備える、上記Ｃ３４に記載の製品。
［Ｃ３６］
前記品質インジケータは、リファレンス信号受信電力（ＲＳＲＰ）、リファレンス信号受信品質（ＲＳＲＱ）、受信信号強度インジケータ（ＲＳＳＩ）、信号対干渉雑音比（ＳＩＮＲ）、共通パイロットチャネル（ＣＰＩＣＨ）受信信号コード電力（ＲＳＣＰ）、およびＣＰＩＣＨ Ｅｃ／Ｎｏのうちの少なくとも１つを含む、上記Ｃ２８に記載の製品。
【図１】
0006342413.tif 000002
【図２】
0006342413.tif 000003
【図３】
0006342413.tif 000004
【図４】
0006342413.tif 000005
【図５】
0006342413.tif 000006
【図６】
0006342413.tif 000007
【図７】
0006342413.tif 000008
【図８】
0006342413.tif 000009
【図９】
0006342413.tif 000010
【図１０】
0006342413.tif 000011
【図１１】
0006342413.tif 000012